【手続補正書】
【提出日】平成28年8月10日(2016.8.10)
【手続補正１】
【補正対象書類名】明細書
【補正対象項目名】発明の名称
【補正方法】変更
【補正の内容】
【発明の名称】情報処理装置、画像形成装置、及びその制御方法
【手続補正２】
【補正対象書類名】明細書
【補正対象項目名】０００１
【補正方法】変更
【補正の内容】
【０００１】
本発明は、情報処理装置、画像形成装置、及びその制御方法に関し、特に、ＳＳＤ内のデータが経時変化により消失することを防止するための技術に関する。
【手続補正３】
【補正対象書類名】明細書
【補正対象項目名】０００６
【補正方法】変更
【補正の内容】
【０００６】
本発明は、上記問題に鑑みて成されたものであり、メモリのデータ保持期間の減少によるデータの消失を防止し、装置本体に搭載された状態でのメモリのリフレッシュ動作を考慮した情報処理装置、画像形成装置、及びその制御方法を提供する。
【手続補正４】
【補正対象書類名】明細書
【補正対象項目名】０００７
【補正方法】変更
【補正の内容】
【０００７】
上記目的を達成するために、本発明の情報処理装置は、ジョブを処理し、メモリと、前記メモリをリフレッシュするためのリフレッシュ手段と、前記メモリの内容の消去回数に対応するデータ保持期間内で前記メモリをリフレッシュすべき日時を設定する設定手段と、前記設定手段によって設定された日時に前記メモリのリフレッシュを実行させる制御手段とを備え、前記制御手段は、前記設定手段によって設定された前記メモリをリフレッシュすべき日時が到来すると、前記メモリを使用するジョブの実行を制限した上で前記メモリのリフレッシュを実行させることを特徴とする。
【手続補正５】
【補正対象書類名】明細書
【補正対象項目名】０００９
【補正方法】変更
【補正の内容】
【０００９】
【図１】本発明の第１の実施形態に係る情報記録装置（情報処理装置、画像形成装置）が適用されたＭＦＰの概略構成を示すブロック図である。
【図２】ＣＰＵによりＳＳＤをリフレッシュする日時をＲＴＣへ設定するための制御処理の流れを示すフローチャートである。
【図３】データ保持期間テーブルの一例を示す図である。
【図４】ＣＰＵによるＳＳＤのリフレッシュ動作の流れを示すフローチャートである。
【図５】本発明の第２の実施形態に係る情報記録装置（情報処理装置、画像形成装置）が適用されたＭＦＰの概略構成を示すブロック図である。
【図６】（ａ）ＲＴＣからの割込信号Ｂとラッチ回路からの電源切り替え信号Ｄとリフレッシュコントローラからのラッチ解除信号Ｃに対するリフレッシュコントローラの動作を示すタイミングチャートであり、（ａ）装置が通電されてない場合、（ｂ）電池によるリフレッシュ動作の場合を示す。
【手続補正６】
【補正対象書類名】明細書
【補正対象項目名】００１１
【補正方法】変更
【補正の内容】
【００１１】
［第１の実施形態］
図１は、本発明の第１の実施形態に係る情報記録装置（情報処理装置、画像形成装置）が適用されたＭＦＰの概略構成を示すブロック図である。
【手続補正７】
【補正対象書類名】明細書
【補正対象項目名】００３１
【補正方法】変更
【補正の内容】
【００３１】
図５は、本発明の第２の実施形態に係る情報記録装置（情報処理装置、画像形成装置）が適用されたＭＦＰの概略構成を示すブロック図である。なお、図１と同じ構成要素については同一の符号を付してそれらの説明を省略する。以下に、第１の実施形態と異なる点について説明する。
【手続補正８】
【補正対象書類名】特許請求の範囲
【補正対象項目名】全文
【補正方法】変更
【補正の内容】
【特許請求の範囲】
【請求項１】
ジョブを処理する情報処理装置において、
メモリと、
前記メモリをリフレッシュするためのリフレッシュ手段と、
前記メモリの内容の消去回数に対応するデータ保持期間内で前記メモリをリフレッシュすべき日時を設定する設定手段と、
前記設定手段によって設定された日時に前記メモリのリフレッシュを実行させる制御手段とを備え、
前記制御手段は、前記設定手段によって設定された前記メモリをリフレッシュすべき日時が到来すると、前記メモリを使用するジョブの実行を制限した上で前記メモリのリフレッシュを実行させることを特徴とする情報処理装置。
【請求項２】
前記制御手段は、前記メモリのリフレッシュが可能と判断したときは、前記メモリを使用するジョブを禁止し、当該メモリを使用するジョブの実行が禁止されている旨を表示させることを特徴とする請求項１に記載の情報処理装置。
【請求項３】
電池電源をさらに備え、
前記情報処理装置への電源が遮断されているときには、前記電池電源とは異なる他の電池電源により前記リフレッシュ手段が前記メモリのリフレッシュを行うことを特徴とする請求項１または２に記載の情報処理装置。
【請求項４】
前記メモリはＳＳＤであり、ＡＴＡコマンドにより消去回数をコマンドによって読み出すことができるものであることを特徴とする請求項１乃至３のいずれか１項に記載の情報処理装置。
【請求項５】
前記制御手段は、前記メモリへの書き込みが発生するジョブが完了したときに、前記メモリから前記消去回数を取得することを特徴とする請求項１乃至４のいずれか１項に記載の情報処理装置。
【請求項６】
前記リフレッシュでは、前記メモリのアドレスが読み出され、当該読み出されたアドレスへデータを書き込むことによって、前記メモリのメモリセルがリフレッシュされることを特徴とする請求項１乃至５のいずれか１項に記載の情報処理装置。
【請求項７】
画像形成装置において、
メモリと、
前記メモリをリフレッシュするためのリフレッシュ手段と、
前記メモリの内容の消去回数に対応するデータ保持期間内で前記メモリをリフレッシュすべき日時を設定する設定手段と、
前記設定手段によって設定された日時に応じて前記メモリのリフレッシュの実行開始を制御する制御手段とを備え、
前記設定手段によって設定された前記メモリをリフレッシュするべき日時が到来すると、前記制御手段は、前記画像形成装置の状態がリフレッシュ動作を開始可能な状態であることを確認した上で前記メモリのリフレッシュを実行させることを特徴とする画像形成装置。
【請求項８】
前記リフレッシュでは、前記メモリのアドレスが読み出され、当該読み出されたアドレスへデータを書き込むことによって、前記メモリのメモリセルがリフレッシュされることを特徴とする請求項７に記載の画像形成装置。
【請求項９】
メモリを有し、ジョブを処理する情報処理装置の制御方法において、
前記メモリをリフレッシュするためのリフレッシュステップと、
前記メモリの内容の消去回数に対応するデータ保持期間内で前記メモリをリフレッシュすべき日時を設定する設定ステップと、
前記設定ステップにおいて設定された日時に前記メモリのリフレッシュを実行させる制御ステップとを有し、
前記制御ステップでは、前記設定ステップにおいて設定された前記メモリをリフレッシュすべき日時が到来すると、前記メモリを使用するジョブの実行を制限した上で前記メモリのリフレッシュが実行されることを特徴とする情報処理装置の制御方法。
【請求項１０】
メモリを有する画像形成装置の制御手段において、
前記メモリをリフレッシュするためのリフレッシュステップと、
前記メモリの内容の消去回数に対応するデータ保持期間内で前記メモリをリフレッシュすべき日時を設定する設定ステップと、
前記設定ステップにおいて設定された日時に応じて前記メモリのリフレッシュの実行開始を制御する制御ステップとを備え、
前記設定ステップにおいて設定された前記メモリをリフレッシュするべき日時が到来すると、前記制御ステップにおいて、前記画像形成装置の状態がリフレッシュ動作を開始可能な状態であることを確認した上で前記メモリのリフレッシュが実行されることを特徴とする画像形成装置の制御方法。